(57)【要約】【課題】セルフタイマーボタンを備えることなく、セルフタイマーを設定することができる撮像装置を提供する。【解決手段】撮像装置１０の本体部２０の正面に第一光検出センサ３１を備える。また、本体部２０における撮像レンズ１４を介して第一光検出センサ３１と反対側に第二光検出センサ３２を備える。第一光検出センサ３１及び第二光検出センサ３２の検知結果に基づいて、本体部２０の内部に備えられたＣＰＵ１１２は、撮影モードを設定する。【選択図】図1
2006221103.tif 000002
【特許請求の範囲】
【請求項１】
撮影レンズ及び撮影ボタンを備えた本体部と、
前記本体部における前記撮影ボタン付近が把持されていることを検知するための第一センサと、
前記本体部における前記撮影レンズを中心として前記第一センサが取り付けられた位置と反対側付近が把持されていることを検知するための第二センサと、
前記第一センサ及び前記第二センサの検知結果に基づいて、撮影モードを設定するモード設定手段と、
を備える撮像装置。
【請求項２】
前記第一センサ及び前記第二センサは、光量を測定する光検出センサにより構成される、請求項１に記載の撮像装置。
【請求項３】
光量を測定する光検出センサからなる第三センサを更に備え、
前記モード設定手段は、前記第三センサが測定した光量と前記第一センサが測定した光量との差と、前記第三センサが測定した光量と前記第二センサが測定した光量との差と、に基づいて撮影モードを設定する、請求項２に記載の撮像装置。
【請求項４】
前記第一センサ及び前記第二センサは、前記本体部に加わる圧力を検出する圧力センサにより構成される、請求項１に記載の撮像装置。
【請求項５】
前記本体部が把持されていることを前記第一センサが検知しない場合、又は前記第三センサと前記第一センサとの光量の差が所定の閾値未満の場合には、前記モード設定手段は、前記撮影ボタンの操作時点から撮影時点までの時間が長い第一セルフタイマーモードを設定し、
前記本体部が把持されていることを前記第一センサが検知し、かつ、前記本体部が把持されていないことを前記第二センサが検知する場合又は前記第三センサと前記第一センサとの光量の差が所定の閾値以上かつ前記第三センサと前記第二センサとの光量の差が所定の閾値未満の場合には、前記モード設定手段は、前記撮影ボタンの操作時点から撮影時点までの時間が短い第二セルフタイマーモードを設定する、請求項１乃至４の何れか一つに記載の撮像装置。
【請求項６】
撮影レンズを備えた本体部と、
撮影開始準備指示を入力するためのボタンと、
前記ボタンが操作された後、前記ボタンの操作が解除された時点からの経過時間を計測する計時手段と、
セルフタイマーモードを設定するモード設定手段であって、前記モード設定手段は、前記計時手段が計時を開始してから所定時間が経過する前に、前記ボタンが再度操作されるとセルフタイマーモードを設定するモード設定手段と、
を備える撮像装置。
【請求項７】
本体部に備えられ、前記本体部が把持されていることを検知するための第一センサ及び第二センサの検知結果を取得する工程と、
前記第一センサ及び第二センサの検知結果に基づいて、撮影モードを設定するモード設定工程と、
をコンピュータに実行させる撮像装置制御プログラム。
【請求項８】
撮影開始準備指示を入力するためのボタンが操作された後、操作が解除された時点からの経過時間を計測する計時工程と、
前記計時工程において計時が開始されてから所定時間が経過する前に、前記ボタンが再度操作されると、セルフタイマーモードを設定するモード設定工程と、
をコンピュータに実行させる撮像装置制御プログラム。
【発明の詳細な説明】
【技術分野】
【０００１】
本発明は撮像装置及び撮像装置制御プログラムに係り、特にセルフタイマー専用のボタンを設けることなくセルフタイマーの設定が行なえる撮像装置及び撮像装置制御プログラムに関する。
【背景技術】
【０００２】
レリーズボタンを全押ししてから所定時間経過後に本撮影を行うセルフタイマーモードを設定できるデジタルカメラ等の撮像装置がある。特許文献１には、レリーズボタンとセルフタイマーボタンとを備えたカメラが開示されている。このカメラは、セルフタイマーボタンを押してから所定時間よりも短い時間経過後にセルフタイマーボタンを解除すると、セルフタイマー起動後に１回撮影を行うシングルセルフモードが選択される。また、セルフタイマーボタンを押してから所定時間よりも長い時間経過後にセルフタイマーボタンを解除すると２回撮影を行なうダブルセルフモードが選択される。
【特許文献１】特開平６−２９４９８７号公報
【発明の開示】
【発明が解決しようとする課題】
【０００３】
デジタルカメラにおいては、液晶表示部の大型化に対応するため外観の省スペース化を図る傾向がある。
【０００４】
しかし、特許文献１のカメラは、レリーズボタンのほかにセルフタイマー専用のボタンを備えるため、セルフタイマーボタンのためのスペースが必要になり、上述の省スペース化を図る傾向と逆行する。
【０００５】
本発明はこのような事情に鑑みてなされたもので、撮像装置の外観の省スペース化を図りつつ、撮影モード設定を行なえる撮像装置及び撮像装置制御プログラムを提供することを目的とする。
【課題を解決するための手段】
【０００６】
上記の課題を解決するために、本発明に係る撮像装置は、撮影レンズ及び撮影ボタンを備えた本体部と、前記本体部における前記撮影ボタン付近が把持されていることを検知するための第一センサと、前記本体部における前記撮影レンズを中心として前記第一センサが取り付けられた位置と反対側付近が把持されていることを検知するための第二センサと、前記第一センサ及び前記第二センサの検知結果に基づいて、撮影モードを設定するモード設定手段と、を備える。
【０００７】
この発明により、第一センサ及び第二センサが、本体部におけるどの位置が把持されているかを検知し、その検知結果に基づいて撮影モードを設定できる。そのため、撮像装置の操作者は、本体部を把持するだけで撮影モードの設定ができ、セルフタイマーを設定するための特別な操作をする必要がない。また、セルフタイマーモード設定用のボタンを備える必要がないため、本体部の外観の省スペース化を図ることができる。
【０００８】
また、前記第一センサ及び前記第二センサは、光を検出する光検出センサにより構成されてもよい。
【０００９】
これにより、本体部における操作者が把持している部分は、操作者の手の陰に隠れて第一センサ及び第二センサにより検出される光量が少なくなるため、把持しているか否かを検知することができる。
【００１０】
また、光量を測定する光検出センサからなる第三センサを更に備え、前記モード設定手段は、前記第三センサが測定した光量と前記第一センサが測定した光量との差と、前記第三センサが測定した光量と前記第二センサが測定した光量との差と、に基づいてセルフタイマーモードを選択して設定してもよい。
【００１１】
これにより、光量が少ない場所でも第三センサが検出する光量を基準としたときの第一センサ及び第二センサが検出する光量の差に基づいて撮影モードを設定することができる。
【００１２】
また、前記第一センサ及び前記第二センサは、前記本体部に加わる圧力を検出する圧力センサにより構成されてもよい。
【００１３】
これにより、暗い場所でも本体部が把持されているか否かを検知することができ、本体部の把持姿勢に応じて撮影モードを設定できる。
【００１４】
また、前記本体部が把持されていることを前記第一センサが検知しない場合、又は前記第三センサと前記第一センサとの光量の差が所定の閾値未満の場合には、前記モード設定手段は、前記撮影ボタンの操作時点から撮影時点までの時間が長い第一セルフタイマーモードを設定し、前記本体部が把持されていることを前記第一センサが検知し、かつ、前記本体部が把持されていないことを前記第二センサが検知する場合又は前記第三センサと前記第一センサとの光量の差が所定の閾値以上かつ前記第三センサと前記第二センサとの光量の差が所定の閾値未満の場合には、前記モード設定手段は、前記撮影ボタンの操作時点から撮影時点までの時間が短い第二セルフタイマーモードを設定してもよい。
【００１５】
これにより、操作者の把持姿勢に応じて異なるセルフタイマーモードを設定することができる。すなわち、撮影ボタン付近が把持されていない場合には第一セルフタイマーモード、例えば１０秒セルフタイマーモードを設定し、撮影ボタン付近のみが把持されている場合には第二セルフタイマーモード、例えば２秒セルフタイマーモードを設定することができる。
【００１６】
また、本発明に係る撮像装置は、撮影レンズを備えた本体部と、撮影開始準備指示を入力するためのボタンと、前記ボタンが操作された後、前記ボタンの操作が解除された時点からの経過時間を計測する計時手段と、セルフタイマーモードを設定するモード設定手段であって、前記モード設定手段は、前記計時手段が計時を開始してから所定時間が経過する前に、前記ボタンが再度操作されるとセルフタイマーモードを設定するモード設定手段と、を備える。
【００１７】
これにより、撮影準備指示を入力するためのボタンを一度操作してから離し、所定時間内に再度ボタンを押す、すなわち、撮影準備指示を入力するためのボタンを続けて二度操作するとセルフタイマーモードを設定できるため、セルフタイマーモード用のボタンを備えることなくセルフタイマーモードを設定でき、本体部外観の省スペース化を図ることができる。
【００１８】
また、本発明に係る撮像装置制御プログラムは、本体部に備えられ、前記本体部が把持されていることを検知するための第一センサ及び第二センサの検知結果を取得する工程と、前記第一センサ及び第二センサの検知結果に基づいて、撮影モードを設定するモード設定工程と、をコンピュータに実行させる。
【００１９】
また、本発明に係る撮像装置制御プログラムは、撮影開始準備指示を入力するためのボタンが操作された後、操作が解除された時点からの経過時間を計測する計時工程と、前記計時工程において計時が開始されてから所定時間が経過する前に、前記ボタンが再度操作されると、セルフタイマーモードを設定するモード設定工程と、をコンピュータに実行させる。
【発明の効果】
【００２０】
この発明によると、本体部を把持する姿勢に応じて撮影モードを設定したり、撮影準備ボタンを続けて操作したりすることによりセルフタイマーモードを設定することができる。そのため、セルフタイマーモード用のボタンを備える必要がなくなり、本体部外観の省スペース化を図ることができる。
【発明を実施するための最良の形態】
【００２１】
以下、添付した図面を参照し本発明の好ましい実施の形態を説明する。
【００２２】
[第一実施形態]
図１は、本発明の好ましい実施形態に係るデジタルカメラ１０の外観を示す斜視図である。このデジタルカメラ１０は、略直方体の本体部２０と、その本体部２０の正面中央に撮像レンズ１４を備える。本体部２０の上面右側には、レリーズボタン２２を備える。本体部２０の正面右、すなわち、レリーズボタン２２付近には、本体部２０を把持していることを検知するための光検出センサ３１を備える。本体部２０に正面左隅には、同じく本体部２０を把持していることを検知するための光検出センサ３２を備える。本体部２０の背面には、図１では図示しないものの、液晶モニタからなる表示部１１０を備える。そして、光検出センサ３１、３２が閾値以上の光量を検出した場合に自動的にセルフタイマーが作動するデジタルカメラ１０である。
【００２３】
図２は本実施形態に係るデジタルカメラ１０の内部構成を示すブロック図である。まず、同図のデジタルカメラ１０において、中央処理装置（メインＣＰＵ）１１２は、レリーズボタン２２、モードダイヤル１５０、十字キー８１、電源スイッチ８２等を含む操作部１１３の各種のボタンやキーからの入力に基づいてデジタルカメラ１０内の各回路を統括制御する。ＣＰＵ１１２の実行するプログラムはＥＥＰＥＯＭ１１９に記憶される。
【００２４】
いま、モードダイヤル１５０によって静止画撮影モードが設定されると、ＣＰＵ１１２は、動画（スルー画）を表示部１１０に表示させ、撮影画角を確認可能にする。即ち、撮像レンズ１４を通過した光は、固体撮像素子１０２ａに入射する。固体撮像素子１０２ａの受光面には、フォトセンサが平面的に配列されており、該受光面に結像された被写体像は、各フォトセンサによって入射光量に応じた量の信号電荷に変換される。こうして蓄積された信号電荷は、図示せぬドライバ回路から与えられるパルス信号に基づいて信号電荷に応じた電圧信号（画像信号）として順次読み出され、それぞれ撮像回路１０２ｂに加えられる。
【００２５】
撮像回路１０２ｂは、ゲイン調整回路を含み、撮像回路１０２ｂから得られた画像データは、それぞれ画像処理回路１０８及びハイパスフィルタ（ＨＰＦ）１２５へ送られる。画像処理回路１０８は、ホワイトバランス補正回路１０８ｂ、ガンマ補正回路１０８ｃ、ＹＣ処理回路１０８ｄ、輝度・色差信号生成回路、シャープネス補正回路、コントラスト補正回路、撮影画像に対する輪郭補正を含む画像処理を行う輪郭処理部、画像のノイズ低減処理を行うノイズ低減処理部等を含む画像処理手段であり、ＣＰＵ１１２からのコマンドに従って画像信号を処理する。
【００２６】
画像処理回路１０８に入力された画像データは、輝度信号（Ｙ信号）及び色差信号（Ｃｒ、Ｃｌ信号）に変換されるとともに、ガンマ補正等の所定の処理が施された後、ＶＲＡＭ１３２に格納される。
【００２７】
一方、画像処理回路１０８のＡ／Ｄ変換部１０８ａでデジタル信号に変換された画像データは、ハイパスフィルタ（ＨＰＦ）１２５でＧ画素成分のみ抽出される。そして、積算処理回路１２６で抽出されたＧ画素成分に積算処理が施されてＣＰＵ１１２に送られる。ＣＰＵ１１２は、積算処理回路１２６から送られた画像データの積算値をオートフォーカス（ＡＦ）評価値とし、合焦を判定する。
【００２８】
撮影画像を表示部１１０にモニタ出力する場合、ＶＲＡＭ１３２からＹＣ信号が読み出され、ビデオエンコーダ１３４に送られる。ビデオエンコーダ１３４は、入力されたＹＣ信号を表示用の所定方式の信号（例えば、ＮＴＳＣ方式のカラー複合映像信号）に変換して表示部１１０に出力する。表示部１１０の駆動はドライバ１１１を介して行われる。
【００２９】
所定のフレームレートで処理された各フレームのＹＣ信号は、ＶＲＡＭ１３２のＡ領域とＢ領域とに交互に書き込まれ、ＶＲＡＭ１３２のＡ領域及びＢ領域のうち、ＹＣ信号が書き込まれている方の領域以外の領域から、書き込まれているＹＣ信号が読み出される。このようにしてＶＲＡＭ１３２内のＹＣ信号が定期的に書き換えられ、そのＹＣ信号から生成される映像信号が表示部１１０に供給されることにより、撮像中の映像がリアルタイムに表示部１１０に表示される。ユーザは、表示部１１０に表示される映像（スルー）によって撮影画角を確認できる。
【００３０】
ここで、レリーズボタン２２が半押し（以下「Ｓ１スイッチ」という。）されると、撮影開始準備としてＡＥ及びＡＦ処理が開始される。ＡＥ／ＡＦ処理が行われ、レリーズボタン２２が全押し（以下「Ｓ２スイッチ」という。）されることによって記録用の撮影動作がスタートする。レリーズボタン２２の全押し（Ｓ２スイッチ）に応動して取得された画像データは画像処理回路１０８において輝度／色差信号（Ｙ／Ｃ信号）に変換され、ガンマ補正等の所定の処理が施された後、ＶＲＡＭ１３２に格納される。
【００３１】
ＶＲＡＭ１３２に格納されたＹ／Ｃ信号は、圧縮伸長処理回路１４４によって所定のフォーマットに従って圧縮された後、メディアコントローラ１４６を介して記録媒体４０にExif（Exchangeable Image File Format）ファイルとして記録される。画像はExifファイルのデータ部分に記録される。ＣＰＵ１１２は上記Exifファイルのヘッダ部分の所定のタグ（Imagedescriptionタグなど）に撮影日時情報などを記録する。
【００３２】
ＣＰＵ１１２には、キセノン管からなるストロボ１８の発光を制御するストロボ制御回路１１５も接続されており、静止画撮影において、低照度であることが検出された場合や、ストロボボタンによって発光が指示された場合や、強制発光モードが設定された場合にタイミングジェネレータ（ＴＧ）１２０によって発生されたタイミング信号に同期したタイミングで短時間（例えば１秒以上の短時間）発光するようにストロボ１８を制御する。
【００３３】
モードダイヤル１５０によって動画撮影モードが設定されたときには、レリーズボタン２２の全押し（Ｓ２）操作に連動して動画記録動作がスタートし、もう一度レリーズボタン２２を押下すると動画記録動作が停止する。レリーズボタン２２を押下継続している期間、録画動作を行い、押下解除によって録画を停止するようにしてもよい。動画データは、例えばモーションＪＰＥＧ（ＭＰＥＧ）形式によって記録媒体４０に記録される。
【００３４】
モードダイヤル１５０により再生モードが選択されると、記録媒体４０に記録されている最終の画像ファイル（最後に記録されたファイル）の圧縮データが読み出される。最後の記録に係るファイルが静止画ファイルの場合、この読み出された画像圧縮データは、圧縮伸長処理回路１４４を介して非圧縮のＹＣ信号に伸長され、ＶＲＡＭ１３２に保存される。ＶＲＡＭ１３２に保存されたＹＣ信号は、ビデオエンコーダ１３４に加えられる。ビデオエンコーダ１３４は、入力するＹＣ信号からＮＴＳＣ方式のＲＧＢカラー複合映像信号を作成し、これを表示部１１０に出力する。これにより、表示部１１０には記録媒体４０に記録されている最終コマのコマ画像が表示される。
【００３５】
その後、十字キー８１の右キーが押されると、順方向にコマ送りされ、十字キー８１の左キーが押されると、逆方向にコマ送りされる。そして、コマ送りされたコマ位置の画像ファイルが記録媒体４０から読み出され、上記と同様にしてコマ画像が表示部１１０に再生される。尚、最終コマのコマ画像が表示されている状態で順方向にコマ送りされると、記録媒体４０に記録されている１コマ目の画像ファイルが読み出され、１コマ目のコマ画像が表示部１１０に再生される。
【００３６】
表示部１１０は、カメラ１０に内蔵されたＬＣＤ１１４、ファインダー又は映像出力端子等に接続された外部の表示装置に相当する。なお、ＣＰＵ１１２は、ＯＳＤ信号発生回路を含み、ＯＳＤ信号発生回路はシャッタ速度や絞り値、撮影可能枚数、撮影日時、警告メッセージ等の文字及びアイコン等の記号を表示するための信号を発生させる。このＯＳＤ信号発生回路から出力される信号は、必要に応じて画像信号に混合されて、ＬＣＤ１１４に供給される。これにより、スルー画像や再生画像に文字やアイコン等が合成された合成画像が表示される。
【００３７】
記録媒体４０は、撮影で得た画像データを保持する手段であり、例えばスマートメディアと呼ばれるメモリカードが使用される。記録メディアの形態はこれに限定されず、ＰＣカード、コンパクトフラッシュ（登録商標）、磁気ディスク、光ディスク、光磁気ディスク、メモリスティックなどでもよく、電子的、磁気的、もしくは光学的、又はこれらの組み合わせによる方式などに従って読み書き可能な媒体を用いることができる。異種・同種の記録メディアを問わず、複数の媒体を装着可能な構成にしてもよい。また、画像ファイルを保存する手段は、カメラ本体に着脱可能なリムーバブルメディアに限らず、カメラに内蔵された記録媒体（内蔵メモリ）であってもよい。
【００３８】
ＣＰＵ１１２は、カメラ１０の各回路を統括制御する制御回路であり、レリーズボタン２２、十字キー８１、電源スイッチ８２、モードダイヤル１５０、あるいは図示しないストロボボタン、ズームキー、メニュー／実行ボタンその他を含む操作部１１３から受信する信号に基づき、対応する回路の動作を制御するとともに、表示部１１０における表示制御、ストロボ発光制御、オートフォーカス（ＡＦ）制御及び自動露出（ＡＥ）制御等を行う。また、ＣＰＵ１１２は、光検出センサ３１、３２、タイマ４０と接続されている。そして、レリーズボタン２２が半押しされる（Ｓ１スイッチがＯＮになる）と、ＣＰＵ１１２は、光検出センサ３１，３２からの入力信号を受信し、その入力信号に従って、複数の撮影モード（通常モード、セルフタイマーモードを含む）の中からいずれか一つの撮影モードを選択して決定する。レリーズボタン２２が全押し（Ｓ２スイッチがＯＮになる）されると、ＣＰＵ１１２は、タイマ４０に計時開始指示を行なう。そして、ＣＰＵ１１２は、設定したセルフタイマーモードに応じた時間経過後、本撮影を行う。
【００３９】
カメラ１０の電源が電源スイッチ８２でオンされる度に、カメラボディ内部に装着される電池からなる主要電源１６４から、デジタルカメラ１０の各回路に電源が供給される。
【００４０】
画像処理回路１０８からの画像データは、測光処理部１５７にも送られる。この測光処理部１５７は、外光の光量を測定する手段の一例である。測光処理部１５７は、入力される各画像データと、固体撮像素子１０２ａの電荷蓄積時間、すなわち電子シャッタのシャッタ秒時とに基づいて被写体輝度の測光値（ＥＶ値）を算出する測光値算出部により構成できる。これにより、固体撮像素子１０２ａの駆動が調節される。なお、電子シャッタのシャッタ秒時とともに絞り値を変化させてもよい。絞り値を変化させる場合には、絞り値を加味して被写体輝度に応じた測光値を算出する。このように、測光処理部１５７は、固体撮像素子１０２ａを受光センサとしてＴＴＬ（Through The Lens) 測光方式によって被写体の明るさ（被写体輝度）を検出する。測光処理部１５７は、フォトトランジスタで構成された測光センサであってもよく、測光が可能な手段であれば特に限定されない。
【００４１】
図３は、ＣＰＵ１１２が実行するプログラムを示すブロック図である。ＣＰＵ１１２は、プログラムであるＳ１スイッチ検出部１１２ａ、センサ１検出部１１２ｂ、センサ２検出部１１２ｃ、モード設定１１２ｄ、Ｓ２スイッチ検出部１１２ｅ、計時部１１２ｆ、本撮影指示部１１２ｇを実行する。これらのプログラムはＥＥＰＲＯＭ１１９に記憶されており、ＣＰＵ１１２により適宜メモリ１２７に読み出されて実行される。
【００４２】
まず、Ｓ１スイッチ検出部１１２ａは、レリーズボタン２２が半押しされていることを検出する。センサ１検出部１１２ｂが光検出センサ３１に入力される光量に応じた電気信号を取得する。同様に、センサ２検出部１１２ｃが光検出センサ３２に入力される光量に応じた電気信号を取得する。センサ１検出部１１２ｂ及びセンサ２検出部１１２ｃは、取得した電気信号に基づいて、検出結果をモード設定部１１２ｄに出力する。モード設定部１１２ｄは、検出結果に基づいて撮影モードを選択し、設定する。そして、セルタイマーモードを設定した場合には、そのセルフタイマーモード情報を計時部１１２ｆに出力する。Ｓ２スイッチ検出部１１２ｅが、レリーズボタン２２が全押しされたことを検出すると、セルフタイマーモードを設定した場合には計時部１１２ｆが計時開始を指示する。計時部１１２ｆは、モード設定部１１２ｄから取得したセルフタイマーモードに応じた時間をタイマー５０に計測させる。タイマー５０から所定時間が経過したことを示す情報を取得すると、本撮影指示部１１２ｇが本撮影の指示をデジタルカメラ１０の各構成要素に対して指示し、撮影を行う。
【００４３】
次に図４及び図５に基づいて、本実施の形態に係るデジタルカメラ１０を用いた撮影モード設定操作について説明する。図４は、ＣＰＵ１１２が実行する撮影モード設定処理の流れを示すフローチャートであり、図５は、光検出センサ３１及び光検出センサ３２のＯＮ、ＯＦＦ状態を示す模式図である。以下、図４のフローチャートに沿って説明する。
【００４４】
Ｓ４０１では、デジタルカメラ１０の操作者が、レリーズボタン２２を半押しする。ＣＰＵ１１２のＳ１スイッチ検出部１１２ａは、レリーズボタン２２が半押しされていることを検出して、合焦動作等の処理を行う。
【００４５】
Ｓ４０２では、センサ１検出部１１２ｂが、光検出センサ３１の光量測定結果として測定値Ｎ１を得る。センサ２検出部１１２ｃも同様に、光検出センサ３２の光量測定結果として測定値Ｎ２を得る。
【００４６】
Ｓ４０３では、モード設定部１１２ｄが、Ｎ１と所定の閾値とを比較し、Ｎ１が閾値よりも小さいか否かを判断する。Ｎ１が閾値未満であれば「Ｙｅｓ」と判断してＳ４０４へ進む。Ｎ１が閾値以上であれば「Ｎｏ」と判断して、Ｓ４０５へ進む。
【００４７】
Ｓ４０４では、モード設定部１１２ｄが、Ｎ２と所定の閾値とを比較し、Ｎ２が閾値よりも小さいか否かを判断する。Ｎ２が閾値未満であれば「Ｙｅｓ」と判断してＳ４０６へ進む。Ｎ２が閾値以上であれば「Ｎｏ」と判断して、Ｓ４０７へ進む。
【００４８】
Ｓ４０５は、Ｎ１が閾値以上である場合、すなわち、本体部２０における光検出センサ３１が備えられた部位を把持していない場合であり、図５（ａ）の状態を示す。この場合、モード設定部１１２ｄは、１０秒セルフタイマーモードに設定する。これにより、デジタルカメラ１０を三脚や固定物の上に設置して本体部２０を把持せずにレリーズボタン２２を半押しするだけで１０秒セルフタイマーが自動設定できる。
【００４９】
Ｓ４０６は、Ｎ１が閾値未満かつＮ２が閾値未満である場合、すなわち、本体部２０における光検出センサ３１及び光検出センサ３２が備えられた部位を把持している場合であり、図５（ｂ）の状態を示す。この場合、モード設定部１１２ｄは、セルフタイマーモードを設定せず通常の撮影モード（セルフタイマーを使用せず、レリーズボタン２２が全押しされた直後に撮影を行うモード）、を設定する。
【００５０】
Ｓ４０７は、Ｎ１が閾値未満かつＮ２が閾値以上である場合、すなわち、本体部２０における光検出センサ３１が備えられた部位を把持し、光検出センサ３２が備えられた部位を把持していない場合であり、図５（ｃ）の状態を示す。この場合、モード設定部１１２ｄは、２秒セルフタイマーモードを設定する。これにより、本体部２０の右側（レリーズボタン２２に近い部位）のみを把持しながらレリーズボタンを操作するだけで、三脚を用いて近接撮影をしたり天体撮影を行ったりする際に手ぶれを防止するための時間が短いセルフタイマーモードを容易に設定できる。
【００５１】
Ｓ４０８では、操作者がレリーズボタン２２を全押しし、Ｓ２スイッチ検出部１１２ｅが、レリーズボタン２２が全押しされたことを検出する。
【００５２】
Ｓ４０９では、それぞれの撮影モードで撮影が行われる。Ｓ４０５、Ｓ４０７で１０秒セルフタイマーモード又は２秒セルフタイマーモードが選択されると、計時部１１２ｆは、タイマー５０に１０秒または２秒を計測させる。そして、所定時間が経過すると、計時部１１２ｆが本撮影指示部１１２ｇに本撮影の指示を行ない、撮影が行われる。Ｓ４０６で通常モードが選択された場合には、計時部１１２ｆは、タイマー５０による計測を行なうことなく、レリーズボタン２２が全押しされた直後に本撮影指示部１１２ｇが本撮影を行う指示をデジタルカメラ１０の各構成要素に対して行なう。
【００５３】
［第二実施形態］
第二実施形態に係るデジタルカメラ１０は、第一実施形態に係るデジタルカメラ１０に加えて、光検出センサ３３を備える。第一実施形態に係るデジタルカメラ１０は、光検出センサ３１，３２が閾値以上の光量を検出すると自動的にセルフタイマーが作動するが、暗い場所では、本体部２０から手を離しても光量が少なく閾値以上の光量が検出できない。そのため、セルフタイマーの自動設定が行なえない。本実施の形態では、第一実施形態に係るデジタルカメラに加えて、光検出センサ３３を備え、光検出センサ３１，２１と光検出センサ３３との光量の差に基づいてセルフタイマーの自動設定を行なう。
【００５４】
図６は、第二実施形態に係るデジタルカメラ１０を示す斜視図である。本実施形態に係るデジタルカメラ１０は、第一実施形態に係るデジタルカメラ１０の各構成要素に加えて光検出センサ３３を備える。光検出センサ３３は、本体部２０の正面であって、撮影レンズ１４の上に備えられる。
【００５５】
次に図７に基づいて、本実施の形態にかかるデジタルカメラ１０を用いたセルフタイマーの自動設定処理について説明する。図７は、第二実施形態にかかるデジタルカメラ１０の撮影モード設定処理の流れを示すフローチャートである。
【００５６】
Ｓ７０１では、操作者がレリーズボタン２２を半押し、ＣＰＵ１１２のＳ１スイッチ検出部１１２ａが、レリーズボタン２２の半押しを検出する。
【００５７】
Ｓ７０２では、光検出センサ３１が検出した光量を測定値Ｎ１として検出する。同様に、光検出センサ３２，３３が検出した光量を測定値Ｎ２，Ｎ３として検出する。
【００５８】
Ｓ７０３では、ＣＰＵ１１２のモード設定部１１２ｄが、測定値Ｎ３と測定値Ｎ１との差を演算し、その結果が所定の閾値未満であれば「Ｙｅｓ」と判断してＳ７０４進む。測定値Ｎ３と測定値Ｎ１との差が所定の閾値以上であれば「Ｎｏ」と判断してＳ７０５へ進む。
【００５９】
Ｓ７０５では、ＣＰＵ１１２のモード設定部１１２ｄが、測定値Ｎ３と測定値Ｎ２との差を演算し、その結果が所定の閾値未満であれば「Ｙｅｓ」と判断してＳ７０６へ進む。測定値Ｎ３と測定値Ｎ２との差が所定の閾値以上であれば「Ｎｏ」と判断してＳ７０７へ進む。
【００６０】
Ｓ７０４では、ＣＰＵ１１２のモード設定部１１２ｄが、１０秒セルフタイマーモードを選択して設定する。
Ｓ７０６では、ＣＰＵ１１２のモード設定部１１２ｄが、２秒セルフタイマーモードを選択して設定する。
【００６１】
Ｓ７０７では、ＣＰＵ１１２のモード設定部１１２ｄが、通常の撮影モードを設定する。
【００６２】
Ｓ７０８では、操作者がレリーズボタン２２を全押しし、ＣＰＵ１１２のＳ２スイッチ検出部１１２ｅがレリーズボタン２２の全押しを検出する。
【００６３】
Ｓ７０９では、第一実施形態におけるＳ４０９と同様、それぞれの撮影モードに応じて撮影が行われる。
【００６４】
本実施の形態によれば、光検出センサ３３と光検出センサ３１，３２との光量の差に基づいてセルフタイマーを自動設定するため、光量が少ない暗い場所でもセルフタイマーの自動設定が行なえる。
【００６５】
［第三実施形態］
第三実施形態に係るデジタルカメラ１０は、第一実施形態に係るデジタルカメラ１０の光検出センサ３１，２１に代えて、圧力センサ３５，３６を備える。第一実施形態及び第二実施形態に係るデジタルカメラ１０は、光が全くない暗い場所では光量が検出できないため、撮影モードの自動設定が行なえない。本実施の形態のデジタルカメラ１０は、圧力センサ３５，３６の検知結果に基づいて撮影モードの自動設定を行なうことにより、撮影場所の光量に依らず撮影モードの設定を行なうことができる。
図８は、第三実施形態に係るデジタルカメラ１０を示す斜視図である。本実施形態に係るデジタルカメラ１０は、第一実施形態に係るデジタルカメラ１０の光検出センサ３１，３２に代えて、本体部２０を把持するときに加わる圧力を検出する圧力センサ３５，３６を備える。具体的には、本体部２０の正面右側であって、操作者が右手で把持する部分に圧力センサ３５を備える。また、本体部２０の正面左側であって、操作者が左手で把持したときにその左手が接触する部分に圧力センサ３６を備える。その他の各構成要素は、第一実施形態に係るデジタルカメラと同様である。
【００６６】
次に図９に基づいて、本実施の形態にかかるデジタルカメラ１０を用いたセルフタイマーの自動設定処理について説明する。図９は、第三実施形態に係るデジタルカメラ１０の撮影モード設定処理の流れを示すフローチャートである。本実施の形態に係るデジタルカメラ１０のＣＰＵ１１２は、図３に示すプログラムを実行するが、センサ１検出部１１２ｂが圧力センサ３５の検知結果を、センサ２検出部１１２ｃが圧力センサ３６の検知結果を検出する点で第一実施形態と異なる。
【００６７】
Ｓ９０１では、デジタルカメラ１０の操作者が、レリーズボタン２２を半押しする。ＣＰＵ１１２のＳ１スイッチ検出部１１２ａは、レリーズボタン２２が半押しされていることを検出して、合焦動作等の処理を行う。
【００６８】
Ｓ９０２では、センサ１検出部１１２ｂが、圧力検出センサ３５が押圧されているか否かを判断する。センサ１検出部１１２ｂが、圧力検出センサ３５が押圧されていると判断した場合には「Ｙｅｓ」としてＳ９０３へ、押圧されていないと判断した場合には「Ｎｏ」としてＳ９０４へ進む。
【００６９】
Ｓ９０３では、センサ２検出部１１２ｃが、圧力検出センサ３６が押圧されているか否かを判断する。センサ２検出部１１２ｃが、圧力センサ３６が押圧されていると判断した場合には「Ｙｅｓ」としてＳ９０５へ、押圧されていないと判断した場合には「Ｎｏ」としてＳ９０６へ進む。
【００７０】
Ｓ９０４では、圧力センサ３５が押圧されていない場合、すなわち、本体部２０における圧力センサ３５が備えられた部位を把持していない場合であり、図５（ａ）の状態を示す。この場合、モード設定部１１２ｄは、１０秒セルフタイマーモードに設定する。
【００７１】
Ｓ９０５では、圧力センサ３５，３６が共に押圧されている場合、すなわち、操作者が本体部２０における圧力センサ３５及び圧力センサ３６が備えられた部位を把持している場合であり、図５（ｂ）の状態を示す。この場合、モード設定部１１２ｄは、通常の撮影モードを設定する。
【００７２】
Ｓ９０６では、圧力センサ３５のみが押圧されていることを検知し、圧力センサ３６は押圧されていることを検知しない場合、すなわち、本体部２０における圧力センサ３５が備えられた部位を把持し、圧力センサ３６が備えられた部位を把持していない場合であり、図５（ｃ）の状態を示す。この場合、モード設定部１１２ｄは、２秒セルフタイマーモードを設定する。
【００７３】
Ｓ９０７では、操作者がレリーズボタン２２を全押しし、Ｓ２スイッチ検出部１１２ｅが、レリーズボタン２２が全押しされたことを検出する。  
【００７４】
Ｓ９０８では、Ｓ４０９と同様、それぞれの撮影モードで撮影が行われる。
【００７５】
本実施の形態によれば、全く光がない暗い場所でも撮影モードを自動設定することができる。
【００７６】
［第四実施形態］
第四実施形態に係るデジタルカメラ１０は、第三実施形態に係るデジタルカメラ１０と同様、圧力センサ３５，３６を備える。そして、圧力センサ３５，３６のＯＮ、ＯＦＦを組み合わせて、モードＡ、モードＢ、モードＣ、モードＤからなる四種類のセルフタイマーモード（通常撮影モードを含む）の中から何れか一つを選択し、設定する。以下図１０に基づいて第四実施形態に係るデジタルカメラのセルフタイマー設定処理の流れを説明する。
【００７７】
Ｓ１００１では、デジタルカメラ１０の操作者が、レリーズボタン２２を半押しする。ＣＰＵ１１２のＳ１スイッチ検出部１１２ａは、レリーズボタン２２が半押しされていることを検出して、合焦動作等の処理を行う。
【００７８】
Ｓ１００２では、センサ１検出部１１２ｂが、圧力検出センサ３５が押圧されているか否かを判断する。センサ１検出部１１２ｂが、圧力検出センサ３５が押圧されていると判断した場合には「Ｙｅｓ」としてＳ１００３へ、押圧されていないと判断した場合には「Ｎｏ」としてＳ１００４へ進む。
【００７９】
Ｓ１００３では、センサ２検出部１１２ｃが、圧力検出センサ３６が押圧されているか否かを判断する。センサ２検出部１１２ｃが、圧力検出センサ３６が押圧されていると判断した場合には「Ｙｅｓ」として１００５へ、押圧されていないと判断した場合には「Ｎｏ」としてＳ１００６へ進む。
【００８０】
Ｓ１００４では、Ｓ１００３と同様、センサ２検出部１１２ｃが、圧力検出センサ３６が押圧されているか否かを判断する。センサ２検出部１１２ｃが、圧力検出センサ３６が押圧されていると判断した場合には「Ｙｅｓ」としてＳ１００７へ、押圧されていないと判断した場合には「Ｎｏ」としてＳ１００８へ進む。
【００８１】
Ｓ１００５では、圧力センサ３５、３６が押圧されている場合、すなわち、本体部２０における圧力センサ３５、３６が備えられた部位を把持している場合であり、図５（ｂ）の状態を示す。この場合、モード設定部１１２ｄは、モードＡ（例えば通常撮影モード）に設定する。
【００８２】
Ｓ１００６では、圧力センサ３５が押圧され、圧力センサ３６が押圧されていない場合であり、図５（ｃ）の状態を示す。この場合、モード設定部１１２ｄは、モードＢ（例えば２秒セルフタイマーモード）に設定する。
【００８３】
Ｓ１００７では、圧力センサ３６のみが押圧されていることを検知し、圧力センサ３５は押圧されていることを検知しない場合、すなわち、本体部２０の左隅部のみが把持された場合である。この場合、モード設定部１１２ｄは、モードＣを設定する。
【００８４】
Ｓ１００８では、圧力センサ３５，３６が共に押圧されていない場合、すなわち、図５（ａ）の状態を示す。この場合、モード設定部１１２ｄは、モードＤ（例えば１０秒セルフタイマーモード）を設定する。
【００８５】
Ｓ１００９では、操作者がレリーズボタン２２を全押しし、Ｓ２スイッチ検出部１１２ｅが、レリーズボタン２２が全押しされたことを検出する。
【００８６】
Ｓ１０１０では、Ｓ４０９と同様、それぞれの撮影モードで撮影が行われる。
【００８７】
本実施の形態によれば、圧力センサ３５，３６の検出結果に基づいて、四種類のセルフタイマーモードの中からいずれか一つのセルフタイマーモードを選択して設定することができる。
【００８８】
本実施の形態では、圧力センサ３５，３６のＯＮとＯＦＦとの組み合わせにより四種類の撮影モードを選択して設定したが、光検出センサ３１，３２のＯＮとＯＦＦとの組み合わせにより四種類の撮影モードを選択して設定してもよい。
【００８９】
［第五実施形態］
第五実施形態は、レリーズボタン２２を半押し（Ｓ１）でダブルクリックすることによりセルフタイマーモードを設定するデジタルカメラ１０である。本実施の形態に係るデジタルカメラ１０は、図１１に示すように本体部２０と、本体部２０の上面右側にレリーズボタン２２とを備える。図１２は、本実施形態に係るデジタルカメラ１０に備えられたＣＰＵ１１２が実行するプログラムを示すブロック図である。ＣＰＵ１１２は、プログラムであるＳ１スイッチ検出部１１２ａ、モード設定１１２ｄ、Ｓ２スイッチ検出部１１２ｅ、計時部１１２ｆ、本撮影指示部１１２ｇを実行する。これらのプログラムはＥＥＰＲＯＭ１１９に記憶されており、ＣＰＵ１１２により適宜メモリ１２７に読み出されて実行される。
Ｓ１スイッチ検出部１１２ａは、レリーズボタン２２が半押しされていること及び半押しされたレリーズボタン２２が離されたこと（解除）を検出する。計時部１１２ｆは、レリーズボタン２２が一度半押し後解除されてからの経過時間を計測する。また、セルフタイマー設定時におけるレリーズボタン２２の全押しからの経過時間を計測する。モード設定部１１２ｄは、セルフタイマーモード及び通常撮影モードのうち何れか一つを選択して設定する。Ｓ２スイッチ検出部１１２ｅは、レリーズボタン２２の全押しを検出する。本撮影指示部１１２ｇは、設定されたモードに従ってデジタルカメラ１０の各構成要素に本撮影の指示を行なう。
【００９０】
以下、図１３に基づいて、本実施の形態に係るデジタルカメラ１０によるセルフタイマーモードの設定処理の流れを説明する。
【００９１】
Ｓ１３０１では、デジタルカメラ１０の操作者が、レリーズボタン２２を半押しする。ＣＰＵ１１２のＳ１スイッチ検出部１１２ａは、レリーズボタン２２が半押しされていることを検出して、撮影開始準備として合焦動作等の処理を行う。
【００９２】
Ｓ１３０２では、Ｓ１スイッチ検出部１１２ａがレリーズボタン２２の半押しが離されたか否かを検出する。レリーズボタン２２の半押しが解除された場合には、計時部１１２ｆがタイマー５０により計時を開始し、Ｓ１３０３へ進む。レリーズボタン２２の半押しが解除されない場合には１３０４へ進む。
【００９３】
Ｓ１３０３では、Ｓ１スイッチ検出部１１２ａが、所定時間Ｔ以内に操作者が再度レリーズボタン２２を半押ししたか否かを判断する。Ｓ１スイッチ検出部１１２ａが所定時間Ｔ以内に、再度レリーズボタン２２が半押しされたことを検出した場合には、Ｓ１３０５へ進む。Ｓ１スイッチ検出部１１２ａが、所定時間Ｔ以内に、再度レリーズボタン２２が半押しされたことを検出しない場合にはＳ１３０１へ戻る。
【００９４】
Ｓ１３０４では、モード設定部１１２ｄが通常撮影モードを設定する。Ｓ１３０５では、モード設定部１１２ｄがセルフタイマーモードを設定する。Ｓ１３０６では、操作者がレリーズボタン２２を全押し、Ｓ２スイッチ検出部１１２ｅがレリーズボタン１１２の全押し（Ｓ２）を検出する。Ｓ１３０７では、それぞれの撮影モードで本撮影が行われる。即ち、Ｓ１３０４で通常撮影モードが設定された場合には、レリーズボタン１１２の全押しに応動して本撮影が行われる。Ｓ１３０５で、セルフタイマーモードが設定された場合には、計時部１１２ｆはＳ１３０６でレリーズボタン２２が全押しされてから計時を開始し、セルフタイマーに対応した時間経過後に本撮影が行われる。
【００９５】
本実施の形態によれば、セルフタイマー用のボタン、光検出センサ、圧力センサを備えることなく、レリーズボタン２２のみによりセルフタイマーモードを設定でき、コスト削減及び本体部２０の外観の省スペース化を図ることができる。
【図面の簡単な説明】
【００９６】
【図１】第一実施形態に係るデジタルカメラ１０の外観を示す斜視図
【図２】第一実施形態に係るデジタルカメラ１０の内部構成を示すブロック図
【図３】第一実施形態に係るＣＰＵ１１２が実行するプログラムを示すブロック図
【図４】第一実施形態に係るデジタルカメラ１０のセルフタイマー設定処理の流れを示すフローチャート
【図５】第一実施形態に係る光検出センサ３１及び光検出センサ３２のＯＮ、ＯＦＦ状態を示す模式図
【図６】第二実施形態に係るデジタルカメラ１０を示す斜視図
【図７】第二実施形態に係るデジタルカメラ１０の撮影モード設定処理の流れを示すフローチャート
【図８】第三実施形態に係るデジタルカメラ１０を示す斜視図
【図９】第三実施形態に係るデジタルカメラ１０の撮影モード設定処理の流れを示すフローチャート
【図１０】第四実施形態に係るデジタルカメラ１０の撮影モード設定処理の流れを示すフローチャート
【図１１】第五実施形態に係るデジタルカメラ１０の外観を示す斜視図
【図１２】第五実施形態に係るＣＰＵ１１２が実行するプログラムを示すブロック図
【図１３】第五実施形態に係るデジタルカメラ１０の撮影モード設定処理の流れを示すフローチャート
【符号の説明】
【００９７】
１０…デジタルカメラ、２０…本体部、２２…レリーズボタン、３１…光検出センサ、３２…光検出センサ、３３…光検出センサ、３５…圧力センサ、３６…圧力センサ、１１２…ＣＰＵ
【図１】
2006221103.tif 000003
【図２】
2006221103.tif 000004
【図３】
2006221103.tif 000005
【図４】
2006221103.tif 000006
【図５】
2006221103.tif 000007
【図６】
2006221103.tif 000008
【図７】
2006221103.tif 000009
【図８】
2006221103.tif 000010
【図９】
2006221103.tif 000011
【図１０】
2006221103.tif 000012
【図１１】
2006221103.tif 000013
【図１２】
2006221103.tif 000014
【図１３】
2006221103.tif 000015